(57)【要約】【課題】  記憶媒体を装着するソケットが基板端になく、当該記憶媒体のボディ全体が基板上に密着して装着される構成になっている場合でも、当該記憶媒体の取外しを容易にする。【解決手段】  基板上のソケットに装着された記憶媒体を取外す記憶媒体取外し装置において、前記ソケットへの差込み方向と平行に板部材のスライド移動を可能にするスライドレールと、前記記憶媒体の基板上への装着状態において該記憶媒体と該基板との間に挿通され前記スライドレールに係止されると共に、前記差込み方向に対して反対方向へスライド移動させたときに該板部材が前記記憶媒体の凸部に当接して該記憶媒体を押出する前記板部材とを備えた。【選択図】  図２
2005327508.tif 000002
【特許請求の範囲】
【請求項１】
基板上のソケットに装着された記憶媒体を取外す記憶媒体取外し装置において、
前記ソケットへの差込み方向と平行に板部材のスライド移動を可能にするスライドレールと、
前記記憶媒体の基板上への装着状態において該記憶媒体と該基板との間に挿通され前記スライドレールに係止されると共に、前記差込み方向に対して反対方向へスライド移動させたときに該板部材が前記記憶媒体の凸部に当接して該記憶媒体を押出する前記板部材とを備えた
記憶媒体取外し装置。
【請求項２】
前記板部材の端部に前記スライドレールに形成したガイド溝から突出するつまみを備えた請求項１記載の記憶媒体取外し装置。
【発明の詳細な説明】
【技術分野】
【０００１】
本発明は、記憶媒体取外し装置に関する。
【背景技術】
【０００２】
従来、コンパクトフラッシュ（登録商標）等の記憶媒体の差込口への装着、抜取りを容易にする技術としてメモリカード離脱防止具が提案されている。
【０００３】
上記メモリカード離脱防止具は、基板３０の裏面から基板３０の外側へ向かって斜め上方に伸びる傾斜部４０ａと、該傾斜部４０ａに比べて傾斜が緩やかな指圧部４０ｂとが形成された板バネ４０を基板３０の外側に設け、該板バネ４０がコンパクトフラッシュ１０の縁部に当接してコンパクトフラッシュ１０をソケット２０に接続する方向に付勢する。
【０００４】
ユーザはコンパクトフラッシュ１０をソケット２０から引抜く際、図５に示すように片手の指を指圧部４０ｂにＸ方向へ押し付けて板バネ４０をさらに撓ませてコンパクトフラッシュ１０の縁部から板バネ４０を放すと共に、Ｙ方向へ指を引抜くことによってコンパクトフラッシュ１０を引抜くという装置である。
【特許文献１】特開２００２−２４７７０号公報
【発明の開示】
【発明が解決しようとする課題】
【０００５】
しかしながら、上述した従来技術は、コンパクトフラッシュを装着するソケットが基板端になく、当該コンパクトフラッシュのボディ全体が基板上に密着して装着される構成になっている場合には構成上用いることができず、その場合構造上当該コンパクトフラッシュの取外しが非常に困難であった。
【０００６】
そこで、本発明は、上記問題に鑑み、記憶媒体の基板上への装着状態において、基板と記憶媒体との間にスライド式の板を挿通し、当該板を当該ソケットへの差込み方向に対して反対方向へスライド操作したときに当該記憶媒体の凸部に当接して押出することにより、ソケットから容易に記憶媒体を取外せる記憶媒体取外し装置を提供することを目的とする。
【課題を解決するための手段】
【０００７】
本発明は、基板上のソケットに装着された記憶媒体を取外す記憶媒体取外し装置を前提としている。
【０００８】
本発明は、前記ソケットへの差込み方向と平行に板部材のスライド移動を可能にするスライドレールと、前記記憶媒体の基板上への装着状態において該記憶媒体と該基板との間に挿通され前記スライドレールに係止されると共に、前記差込み方向に対して反対方向へスライド移動させたときに該板部材が前記記憶媒体の凸部に当接して該記憶媒体を押出する前記板部材とを備えた構成としている。
【０００９】
このようにすれば、記憶媒体の基板上への装着状態において、基板と記憶媒体との間にスライド式の板を挿通し、当該板を当該ソケットへの差込み方向に対して反対方向へスライド操作したときに当該記憶媒体の凸部に当接して押し出すことにより、ソケットから容易に記憶媒体を取外すことができる。
また、前記板部材の端部に前記スライドレールに形成したガイド溝から突出するつまみを備えた構成としてもよい。
【００１０】
このようにすれば、指先でつまみを持つことで確実に板をスライド移動させることができると共に、スライド操作の操作性が高まり、記憶媒体の取外しがより容易となる。
【発明の効果】
【００１１】
記憶媒体の基板上への装着状態において、基板と記憶媒体との間にスライド式の板を挿通し、当該板を当該ソケットへの差込み方向に対して反対方向へスライド操作したときに当該記憶媒体の凸部に当接して押出することにより、ソケットから容易に記憶媒体を取外すことができる。
【発明を実施するための最良の形態】
【００１２】
以下、本発明の実施の形態を図面にしたがって詳細に説明する。
【００１３】
図１は複写機、プリンタ、デジタルカメラ記憶装置、デジタルオーディオ等のデジタル利用によく適合し、ハウジング内で書き込み可能なデジタルデータの記録にも適するコンパクトフラッシュ１と基板３上に設けられた当該コンパクトフラッシュ１を基板３と略平行に挿入して装着するソケット２を示す概略斜視図である。
【００１４】
上記コンパクトフラッシュ１を上記ソケット２に装着して電気的に接続することでデータの記録、読み出しを行う。
【００１５】
上記コンパクトフラッシュ１の上記ソケット２への差込み方向の反対側端部の下面には当該差込み方向と直角方向に凸部１ａを形成している。
【００１６】
図２は、本発明の実施の形態における記憶媒体取外し装置の概略斜視図である。
【００１７】
上記基板３上には上記ソケット２への差込み方向と平行に金属製の板部材４をスライド移動可能にするスライドレールを備えている。
【００１８】
さらに、上記板部材４は上記コンパクトフラッシュ１の上記基板３上への装着状態において、当該コンパクトフラッシュ１と当該基板３との間に当該差込み方向に対して直角方向に挿通され、当該板部材４の両端を上記スライドレール５に係止されており、当該スライドレール５に沿ってスライド移動する。
上記板部材４の長さ方向には上記コンパクトフラッシュ１と上記スライドレール５との間に指先が入る程度の余長がある。
【００１９】
以下では、上記記憶媒体取外し装置の使用方法を説明する。
【００２０】
ユーザが機器のハウジングカバーを取り外すと上記コンパクトフラッシュ１を装着するソケット２周辺の基板が手動操作可能な領域で現れる。
【００２１】
ユーザは上記手動操作可能な領域で上記ソケット２への上記コンパクトフラッシュ１の差込み、取外しを行うこととなる。
【００２２】
ユーザは上記コンパクトフラッシュ１の取外しの際、図３に示すように、指先で上記板部材４を支持し、スライドレール５に沿って、上記ソケット２への差込み方向に対して反対方向へスライド移動させる。
【００２３】
すると、上記板部材４がコンパクトフラッシュ１の凸部１ａに当接し、当該コンパクトフラッシュ１を押出する。
【００２４】
このようにすれば、記憶媒体の基板上への装着状態において、基板と記憶媒体との間にスライド式の板部材を挿通し、当該板部材を当該ソケットへの差込み方向に対して反対方向へスライド操作したときに当該記憶媒体の凸部に当接して押出することにより、ソケットから容易に記憶媒体を取外すことができる。
【００２５】
なお、図４に示すように、上記板部材４の端部に、当該板部材４のスライド方向と平行にスライドレール５に形成したガイド溝から突出するスライドつまみ４ａを設け、当該つまみ４ａを指先で支持してスライド移動させる構成としてもよい。
【００２６】
このようにすれば、指先でつまみを持つことで確実に板部材をスライド移動させることができると共に、スライド操作の操作性が高まり、記憶媒体の取外しがより容易となる。
【００２７】
また、板部材の材質は熱等に対する耐久性を有した樹脂製のものとしてもよく強固なものであればその材質は問わない。
【００２８】
上記実施の形態で説明した構成は、単に具体例を示すものであり、本願発明の技術的範囲を制限するものではない。本願の効果を奏する範囲において、任意の構成を採用することが可能である。
【産業上の利用可能性】
【００２９】
記憶媒体の基板上への装着状態において、基板と記憶媒体との間にスライド式の板部材を挿通し、当該板部材を当該ソケットへの差込み方向に対して反対方向へスライド操作したときに当該記憶媒体の凸部に当接して押出することにより、ソケットから容易に記憶媒体を取外すことができるので有用である。
【図面の簡単な説明】
【００３０】
【図１】コンパクトフラッシュとソケットを示す概略斜視図である。
【図２】本発明の実施の形態における記憶媒体取外し装置の概略斜視図である。
【図３】コンパクトフラッシュの取外し過程を示す概略上面図である。
【図４】他の実施の形態における記憶媒体取外し装置のスライド用のつまみを示す概略斜視図である。
【図５】従来の記憶媒体取外し装置を示す概略側面図である。
【符号の説明】
【００３１】
１    コンパクトフラッシュ
１ａ    凸部
２    ソケット
３    基板
４    板部材
４ａ    つまみ
５    スライドレール
５ａ    ガイド溝
【図１】
2005327508.tif 000003
【図２】
2005327508.tif 000004
【図３】
2005327508.tif 000005
【図４】
2005327508.tif 000006
【図５】
2005327508.tif 000007